(57)【要約】【課題】名刺ホルダを財布に入れて携帯することができる。【解決手段】名刺ホルダ１０は、金属薄板が二つ折りされてなり、名刺３０を収容保持するものであり、互いに対向する第１板部１１及び第２板部１２と、第１板部１１及び第２板部１２の基端同士を連結する屈曲部１３とを有している。金属薄板の厚さが０．１〜０．４ｍｍとされている。【選択図】図２
2018183501.tif 000002
【特許請求の範囲】
【請求項１】
金属薄板が二つ折りされてなり、名刺を収容保持する名刺ホルダであって、
互いに対向する第１板部及び第２板部と、
前記第１板部及び前記第２板部の基端同士を連結する屈曲部と、を有しており、
前記金属薄板の厚さが０．１〜０．４ｍｍとされている、
名刺ホルダ。
【請求項２】
前記第１板部と前記第２板部とが互いに当接されている、
請求項１に記載の名刺ホルダ。
【請求項３】
前記第１板部の全体及び前記第２板部の全体が互いに離間している、
請求項１に記載の名刺ホルダ。
【請求項４】
前記第１板部の先端縁及び前記第２板部の先端縁の少なくとも一方には、凹部が設けられている、
請求項１〜請求項３のいずれか一項に記載の名刺ホルダ。
【請求項５】
複数の前記屈曲部が幅方向に互いに間隔をおいて設けられており、
前記屈曲部同士の間には、切欠部が設けられている、
請求項１〜請求項４のいずれか一項に記載の名刺ホルダ。
【発明の詳細な説明】
【技術分野】
【０００１】
本発明は、名刺を収容保持する名刺ホルダに関する。
【背景技術】
【０００２】
従来、名刺ホルダ（所謂、名刺入れ）としては、例えば二つ折り型のものや、カードケース型のものなどがある。こうした名刺ホルダとしては、皮革により形成されたものや、アルミニウムなどにより形成されたものなどがある。
【０００３】
また、合成樹脂製の長方形の薄板を二つ折りした形状の名刺ホルダがある（例えば特許文献１、２参照）。特許文献１に記載の名刺ホルダは、０．５〜１．０ｍｍ程度の厚さの塩化ビニル樹脂の基材により形成されている。また、特許文献２に記載の名刺ホルダは、２ｍｍ程度の厚さのアクリル樹脂の基材により形成されている。
【先行技術文献】
【特許文献】
【０００４】
【特許文献１】実開昭５０−１２６６１０号公報
【特許文献２】実開昭５１−６８７１３号公報
【発明の概要】
【発明が解決しようとする課題】
【０００５】
ところで、前述した名刺ホルダを携帯していないときであっても名刺の交換ができるように、例えば常時携帯する財布のポケットなどに１〜数枚の名刺を入れておくことがある。しかしながら、この場合、出し入れに伴って名刺の角が折れ曲がるという問題や、皮革製の財布からの色移りによって名刺が変色するという問題が生じる。
【０００６】
本発明の目的は、財布に入れて携帯することを可能とした名刺ホルダを提供することにある。
【課題を解決するための手段】
【０００７】
上記目的を達成するための名刺ホルダは、金属薄板が二つ折りされてなり、名刺を収容保持するものであって、互いに対向する第１板部及び第２板部と、前記第１板部及び前記第２板部の基端同士を連結する屈曲部と、を有しており、前記金属薄板の厚さが０．１〜０．４ｍｍとされている。
【０００８】
同構成によれば、屈曲部の弾性復元力により第１板部と第２板部とによって名刺が挟持されることにより、名刺ホルダ内からの名刺の抜け出しが抑制される。
また、名刺ホルダが０．１〜０．４ｍｍの厚さの金属薄板を二つ折りすることによって形成されている。このため、合成樹脂製のものに比べて、名刺ホルダの剛性を確保しつつ、名刺ホルダの厚さを薄くすることができる。これにより、名刺を収容保持した状態の名刺ホルダの厚さを薄くすることができ、例えば二つ折り財布のカード収納部の裏側のポケットなどに対して、名刺を収容保持した状態の名刺ホルダを挿入することが可能となる。
【０００９】
また、名刺ホルダが金属薄板を二つ折りすることによって形成されているため、例えば合成樹脂製のものに比べて、名刺ホルダの厚さを薄くしつつも剛性を確保することができる。
【００１０】
上記名刺ホルダにおいて、前記第１板部と前記第２板部とが互いに当接されていることが好ましい。
同構成によれば、１枚の名刺であっても名刺を的確に挟持することができる。
【００１１】
上記名刺ホルダにおいて、前記第１板部の全体及び前記第２板部の全体が互いに離間していることが好ましい。
上記名刺ホルダにおいて、前記第１板部の先端縁及び前記第２板部の先端縁の少なくとも一方には、凹部が設けられていることが好ましい。
【００１２】
同構成によれば、例えば第１板部の先端縁に設けられた凹部から露出している名刺の先端部分に指を押し当てつつスライドさせることにより、名刺ホルダ内から名刺を容易に取り出すことができる。
【００１３】
上記名刺ホルダにおいて、複数の前記屈曲部が幅方向に互いに間隔をおいて設けられており、前記屈曲部同士の間には、切欠部が設けられていることが好ましい。
同構成によれば、切欠部から露出している名刺の縁部を先端側に向けて押し出すことにより、名刺ホルダ内から名刺を容易に取り出すことができる。
【００１４】
また、切欠部の数や大きさに応じて屈曲部の弾性復元力の大きさが変わるため、切欠部の数や大きさを適宜設定することにより、第１板部と第２板部とによって名刺を挟持する力を適切に設定することが可能となる。
【発明の効果】
【００１５】
本発明によれば、名刺ホルダを財布に入れて携帯することができる。
【図面の簡単な説明】
【００１６】
【図１】名刺ホルダの一実施形態について、（ａ）は平面図、（ｂ）は側面図、（ｃ）はｃ１部を拡大して示す側面図、（ｄ）はｄ１部を拡大して示す側面図。
【図２】名刺を収容保持した状態の同実施形態の名刺ホルダについて、（ａ）は平面図、（ｂ）は側面図、（ｃ）はｃ２部を拡大して示す側面図、（ｄ）はｄ２部を拡大して示す側面図。
【図３】同実施形態の作用を説明する図であって、開かれた状態の二つ折り財布のポケットに対して、（ａ）は挿入途中の状態の名刺ホルダを示す平面図、（ｂ）は挿入完了した状態の名刺ホルダを示す平面図。
【図４】変形例の名刺ホルダについて、（ａ）は平面図、（ｂ）は側面図、（ｃ）はｃ４部を拡大して示す側面図、（ｄ）はｄ４部を拡大して示す側面図。
【発明を実施するための形態】
【００１７】
以下、図１〜図３を参照して、一実施形態について説明する。
図１（ａ）〜図１（ｄ）、及び図２（ａ）〜図２（ｄ）に示すように、名刺ホルダ１０は、１枚の金属薄板が二つ折りされてなり、平面視略長方形状をなしている。名刺ホルダ１０は、互いに対向する第１板部１１及び第２板部１２と、第１板部１１及び第２板部１２の基端同士を連結する屈曲部１３とを有している。名刺ホルダ１０の各角部は、面取りされており、角丸状をなしている。
【００１８】
図１（ｂ）〜図１（ｄ）に示すように、第１板部１１の基端側の部分と第２板部１２の基端側の部分とは互いに離間している一方、第１板部１１の先端部１１１を含む部分と第２板部１２の先端部１２１を含む部分とが互いに当接されている。
【００１９】
金属薄板の厚さは、０．１〜０．４ｍｍとされている。
本実施形態の名刺ホルダ１０は、厚さが０．２ｍｍのばね鋼により形成されている。また本実施形態では、屈曲部１３の厚さが０．８ｍｍとされており、先端部１１１，１２１の厚さが０．２ｍｍとされている。
【００２０】
図２（ａ）に示すように、名刺ホルダ１０の長さ及び幅は、名刺３０の長さ及び幅よりもそれぞれ僅かに大きくされており、１〜数枚の名刺３０を収容保持することが可能である。
【００２１】
図１（ａ）及び図２（ａ）に示すように、第１板部１１の先端縁１１２における幅方向の中央部分には、円弧状の凹部１４が設けられている。一方、第２板部１２の先端縁１２２全体は、幅方向に沿って直線状に延在している。第１板部１１における上記凹部１４を除いた先端縁１１２と、第２板部１２の先端縁１２２とが平面視において一致している。
【００２２】
本実施形態では、２つの屈曲部１３が幅方向の両側に設けられており、屈曲部１３同士の間には、１つの切欠部１５が設けられている。
次に、本実施形態の作用について説明する。
【００２３】
図２（ａ）〜図２（ｄ）に示すように、本実施形態の名刺ホルダ１０によれば、屈曲部１３の弾性復元力により第１板部１１と第２板部１２とによって１〜数枚の名刺３０が挟持されることにより、名刺ホルダ１０内からの名刺３０の抜け出しが抑制される。
【００２４】
また、名刺ホルダ１０が０．２ｍｍの厚さのばね鋼板を二つ折りすることによって形成されている。このため、合成樹脂製のものに比べて、名刺ホルダ１０の剛性を確保しつつ、名刺ホルダ１０の厚さを薄くすることができる。これにより、名刺３０を収容保持した状態の名刺ホルダ１０の厚さを薄くすることができる。例えば１枚の名刺３０の厚さが０．２ｍｍであれば、５枚の名刺３０を収容保持した状態の名刺ホルダ１０の厚さは約１．４ｍｍとなる。
【００２５】
したがって、図３（ａ）及び図３（ｂ）に示すように、例えば二つ折り財布４０のカード収納部４１の裏側のポケット４２や、小銭収納部４３のポケット４４に対して、名刺３０を収容保持した状態の名刺ホルダ１０を挿入することが可能となる。
【００２６】
以上説明した本実施形態に係る名刺ホルダによれば、以下に示す効果が得られるようになる。
（１）名刺ホルダ１０は、金属薄板が二つ折りされてなり、名刺３０を収容保持するものであり、互いに対向する第１板部１１及び第２板部１２と、第１板部１１及び第２板部１２の基端同士を連結する屈曲部１３とを有している。金属薄板の厚さが０．１〜０．４ｍｍとされている。
【００２７】
こうした構成によれば、上述した作用を奏することから、名刺ホルダ１０を財布４０に入れて携帯することができる。よって、出し入れに伴って名刺３０の角が折れ曲がることや、財布４０からの色移りによって名刺３０が変色することを回避できる。
【００２８】
（２）第１板部１１と第２板部１２とが互いに当接されている。このため、１枚の名刺３０であっても名刺を的確に挟持することができる。
（３）第１板部１１の先端縁１１２には、凹部１４が設けられている。
【００２９】
こうした構成によれば、第１板部１１の先端縁１１２に設けられた凹部１４から露出している名刺３０の先端部分に指を押し当てつつスライドさせることにより、名刺ホルダ１０内から名刺３０を容易に取り出すことができる。
【００３０】
（４）２つの屈曲部１３が幅方向に互いに間隔をおいて設けられており、屈曲部１３同士の間には、切欠部１５が設けられている。
こうした構成によれば、切欠部１５から露出している名刺３０の縁部を先端側に向けて押し出すことにより、名刺ホルダ１０内から名刺３０を容易に取り出すことができる。
【００３１】
また、切欠部１５の数や大きさに応じて屈曲部１３の弾性復元力の大きさが変わるため、切欠部１５の数や大きさを適宜設定することにより、第１板部１１と第２板部１２とによって名刺３０を挟持する力を適切に設定することが可能となる。
【００３２】
＜変形例＞
なお、上記実施形態は、例えば以下のように変更することもできる。
・３つ以上の屈曲部１３を幅方向に互いに間隔をおいて設けるようにしてもよい。
【００３３】
・切欠部１５を省略することもできる。
・凹部１４を第１板部１１の先端縁１１２に複数設けてもよい。
・第１板部１１の凹部１４に加えて、第２板部１２に凹部を設けてもよい。この場合、例えば第１板部１１の先端縁１１２における幅方向の一端側に凹部１４を設ける一方、第２板部１２の先端縁１２２における幅方向の他端側に凹部を設けることもできる。
【００３４】
・凹部１４を省略することもできる。
・名刺３０同士を重ね合わせることによる裏移りを回避するために、名刺３０と同程度の寸法（長さ、幅、及び厚さ）を有する長方形状のスペーサを名刺同士の間に介在させるようにしてもよい。この場合、名刺ホルダ１０と同一の金属薄板によってスペーサを形成してもよい。
【００３５】
・図４（ａ）〜図４（ｄ）に示すように、第１板部１１全体と第２板部１２全体とを互いに離間させることもできる。
・名刺ホルダを、チタンなどのばね鋼以外の金属薄板によって形成することもできる。
【符号の説明】
【００３６】
１０…名刺ホルダ、１１…第１板部、１１１…先端部、１１２…先端縁、１２…第２板部、１２１…先端部、１２２…先端縁、１３…屈曲部、１４…凹部、１５…切欠部、３０…名刺、４０…財布、４１…カード収納部、４２…ポケット、４３…小銭収納部、４４…ポケット。
【図１】
2018183501.tif 000003
【図２】
2018183501.tif 000004
【図３】
2018183501.tif 000005
【図４】
2018183501.tif 000006